(57)【特許請求の範囲】
【請求項１】
電子機器間においてデータ通信を行うときに前記電子機器間に介在し且つ一方の電子機器に搭載されるドライバ回路において、
前記一方の電子機器のデータ送信端子からの信号に応答して状態を切り換える切換回路と、
該切換回路の状態に応じて、他方の電子機器の端子から得た２つの論理値にそれぞれ対応する第１及び第２の電圧信号を、前記他方の電子機器のデータ受信端子に出力する第１のデータ送信回路と、
を有することを特徴とするドライバ回路。
【請求項２】
前記第１のデータ送信回路は、前記第１の電圧信号を出力する第１の電圧信号供給回路と、前記第２の電圧信号を供給する第２の電圧信号供給回路を備えることを特徴とする請求項１記載のドライバ回路。
【請求項３】
前記他方の電子機器のデータ送信端子からの信号に応答して、前記他方の電子機器の端子から得た第１の電圧信号を前記一方の電子機器のデータ受信端子に供給する第２のデータ送信回路を有することを特徴とする請求項１又は２記載のドライバ回路。
【請求項４】
前記一方の電子機器は電池を電源としていることを特徴とする請求項１又は２又は３記載のドライバ回路。
【発明の詳細な説明】
【０００１】
【発明の属する技術分野】
本発明は、互いにデータの送受信が可能なパソコンと携帯用電子機器のような電子機器において、データ通信をする際に使用されるドライバ回路に関するものであり、特に、携帯用電子機器等の電源を使用することなく、パソコン等の入出力信号のみを電源として使用することによりデータ通信を行うドライバ回路に関する。
【０００２】
【従来の技術】
一般に、パソコンと携帯用電子機器との間でデータ通信を行う場合には、携帯用電子機器側に汎用のＲＳ２３２Ｃドライバ回路を搭載し、このドライバ回路を搭載した携帯用電子機器側の電源を用いてＲＳ２３２Ｃ通信を行うことでパソコンとのデータ通信を行っていた。
【０００３】
【発明が解決しようとする課題】
上記従来技術におけるＲＳ２３２Ｃドライバ回路は、通信時に、１０ｍＡ等、多くの電流を必要とするものであった。このため、電池を電源とする携帯用電子機器では、電池寿命を考慮すると、パソコンとの間でデータ通信を行う回数を制限しなければならないという課題があった。
【０００４】
本発明は、上記従来技術の課題に鑑みなされたもので、パソコン等、電源の使用に制限のない電子機器の電源のみを使用してデータ通信を行うことにより、電池寿命に影響を与えることなく何回でも通信可能とするドライバ回路を提供するものである。
【０００５】
【課題を解決するための手段】
本発明におけるドライバ回路は、電子機器間においてデータ通信を行うときに前記電子機器間に介在し且つ一方の電子機器に搭載されるドライバ回路において、前記一方の電子機器のデータ送信端子からの信号に応答して状態を切り換える切換回路と、該切換回路の状態に応じて、他方の電子機器の端子から得た２つの論理値にそれぞれ対応する第１及び第２の電圧信号を、前記他方の電子機器のデータ受信端子に出力する第１のデータ送信回路と、を有している。このドライバ回路における前記第１のデータ送信回路は、前記第１の電圧信号を出力する第１の電圧信号供給回路と、前記第２の電圧信号を供給する第２の電圧信号供給回路を備えている。また、このドライバ回路は、前記他方の電子機器のデータ送信端子からの信号に応答して、前記他方の電子機器の端子から得た第１の電圧信号を前記一方の電子機器のデータ受信端子に供給する第２のデータ送信回路を有している。また、前記一方の電子機器は電池を電源としている。
【０００６】
【発明の実施の形態】
本発明のドライバ回路においては、パソコンと携帯用電子機器等、電子機器間におけるデータ通信をする場合に、何れの電子機器からデータを送受信する場合でも、決められた一方の電子機器側の電源を使用するものとなっている。即ち、電池を電源とする電力に余裕のない携帯用電子機器にドライバ回路を設け、この携帯用電子機器側から電灯線等を電源とする電力に余裕のあるパソコン側にデータ通信する場合、次のように動作する。この携帯用電子機器のデータ送信端子からの信号は、ドライバ回路の切換回路に印加され、切換回路はその信号に応答して状態を切り換える。この切換回路の状態に応じて、第１のデータ送信回路は、２つの論理値にそれぞれ対応する第１及び第２の電圧信号をそれぞれパソコンのデータ受信端子に出力する。この第１のデータ送信回路は、パソコン側に出力する第１及び第２の電圧信号をパソコン側の端子から得ている。従って、携帯用電子機器からパソコンへデータ送信する場合、電圧信号によるデータ通信はパソコンの電力のみを用いてパソコンに送信することになる。
【０００７】
また、パソコンから携帯用電子機器にデータ送信する場合、第２のデータ送信回路が、パソコンのデータ送信端子からの信号に応答してパソコンから得た電圧信号を携帯用電子機器のデータ受信端子に出力する。このため、パソコンから携帯用電子機器へデータ送信する場合にも、パソコンの電力のみが使用される。
【０００８】
【実施例】
以下、図面に基いて本発明の実施例を説明する。図１は本発明の一実施例に係るドライバ回路の回路図である。尚、本実施例においては、パソコンと、携帯用電子機器に設けられたマイコンとの間においてＲＳ２３２Ｃ通信によるデータ通信を行い、しかも実施例におけるドライバ回路が携帯用電子機器に搭載されている場合を例にとって説明する。
【０００９】
図中、右端に縦に並ぶ端子は、パソコン側の端子であり、＋７Ｖの第１の電圧信号が得られるＥＲ端子と、データ受信端子としてのＲＤ端子と、出力がない限り−７Ｖの第２の電圧信号が得られるＳＤ端子と、接地用のＳＧ端子とから構成されている。尚、ＲＳ２３２Ｃの規格では、±３〜±１２Ｖの範囲で、−３Ｖ以下のとき論理“１”、＋３Ｖ以上のとき論理“０”となるように設定しなければならないため、第１及び第２の電圧信号を±７Ｖに設定している。
【００１０】
また、図中、左端に縦に並ぶ端子は、携帯用電子機器内のマイコン側の端子であり、データ送信端子としてのＴｘＤ端子と、データ受信端子としてのＲｘＤ端子と、接地用のＧＮＤ端子とから構成されている。
【００１１】
２はＴｘＤ端子からの信号に応じて状態を切り換える切換回路である。この切換回路２は、ベースとコレクタがそれぞれ抵抗Ｒ１，Ｒ２を介してＥＲ端子に接続され、エミッタが接地されたトランジスタＴｒ１により構成されている。
【００１２】
４は切換回路２の状態に応じてＲＤ端子に第１及び第２の電圧信号を出力する第１のデータ送信回路である。この第１のデータ送信回路４は、ＥＲ端子から第１の電圧信号を得てＲＤ端子に出力する第１の電圧信号供給回路６と、ＳＤ端子から第２の電圧信号を得てＲＤ端子に出力する第２の電圧信号供給回路８を有している。第１の電圧信号供給回路６は、抵抗Ｒ３を介してトランジスタＴｒ１のコレクタにベースが接続され抵抗Ｒ４を介してＥＲ端子にコレクタが接続されエミッタが接地されたトランジスタＴｒ２と、抵抗Ｒ５を介してトランジスタＴｒ２のコレクタにベースが接続され且つこのベースが抵抗Ｒ６を介してエミッタに接続され且つこのエミッタがＥＲ端子に接続されたトランジスタＴｒ４と、抵抗Ｒ７を介してトランジスタＴｒ４のコレクタにベースが接続されコレクタがＥＲ端子に接続され更にエミッタがＲＤ端子に接続されたトランジスタＴｒ６と、を有している。また、第２の電圧信号供給回路８は、抵抗Ｒ８を介してトランジスタＴｒ１のコレクタにベースが接続され且つこのベースが抵抗Ｒ９を介してエミッタに接続され且つこのエミッタがＥＲ端子に接続され抵抗Ｒ１１を介してコレクタがＳＤ端子に接続されたトランジスタＴｒ３と、抵抗Ｒ１０を介してトランジスタＴｒ３のコレクタにベースが接続されエミッタがＳＤ端子に接続されたトランジスタＴｒ５と、抵抗Ｒ１２を介してトランジスタＴｒ５のコレクタにベースが接続されエミッタがＲＤ端子に接続され且つコレクタがＳＤ端子に接続されたトランジスタＴｒ７と、を有している。
【００１３】
１０はＳＤ端子からの信号に応答してＥＲ端子からの第１の電圧信号をＲｘＤ端子に出力する第２のデータ送信回路である。この第２のデータ送信回路１０は、抵抗Ｒ１４を介してＳＤ端子にベースが接続され且つこのベースが抵抗Ｒ１４及びＲ１３を介して接地され抵抗Ｒ１５を介してコレクタがＥＲ端子に接続されエミッタが接地されたトランジスタＴｒ８を有している。
【００１４】
尚、本実施例における携帯用電子機器のマイコンは、５Ｖの電圧で動作するように設定されているため、ＲｘＤ端子から５Ｖ以上の電圧信号が出力されないようにトランジスタＴｒ８のコレクタとグランド間にツェナーダイオードＺ１を設けている。
【００１５】
また、各トランジスタを保護するため、ＥＲ端子とトランジスタＴｒ６，Ｔｒ４，Ｔｒ２，Ｔｒ１，Ｔｒ８との間にはダイオードＤ２が設けられており、ＳＤ端子とトランジスタＴｒ７，Ｔｒ５，Ｔｒ３との間にはダイオードＤ１が設けられており、ＳＤ端子とトランジスタＴｒ８との間にはダイオードＤ４が設けられている。
【００１６】
更に、トランジスタＴｒ１がオン状態になったときに、トランジスタＴｒ３がオン状態にならないように抵抗Ｒ２，Ｒ３の分圧を設定しているが、抵抗値のバラツキ等による動作不良を防ぐため、抵抗Ｒ２，Ｒ３の接続点と抵抗Ｒ８との間にダイオードＤ３を設けている。
【００１７】
また、パソコン側からの信号ノイズを取り除くため、ＥＲ端子及びＳＤ端子とグランドとの間にそれぞれコンデンサＣ１，Ｃ２を接続している。
【００１８】
次に、上記構成からなるドライバ回路の動作を説明する。携帯用電子機器のマイコン側からデータをパソコンに送信する場合には、マイコンのデータ送信端子であるＴｘＤ端子から５Ｖの電圧又は開放による信号がトランジスタＴｒ１のベースに印加される。この信号によりトランジスタＴｒ１がオン状態になって導通すると、そのコレクタにベースが接続されたトランジスタＴｒ２はオン状態になる。このトランジスタＴｒ２の導通によりトランジスタＴｒ４はオフ状態になり、このトランジスタＴｒ４によりオフ状態に保持されていたトランジスタＴｒ６がオン状態になる。
【００１９】
また、トランジスタＴｒ１がオン状態になると、トランジスタＴｒ３はオフ状態になり、これによってトランジスタＴｒ５はオン状態になる。このため、トランジスタＴｒ７はオフ状態になる。
【００２０】
上記のように、マイコン側のＴｘＤ端子からの信号によりトランジスタＴｒ１がオン状態になると、トランジスタＴｒ６がオン状態、トランジスタＴｒ７がオフ状態になり、パソコン側のデータ受信端子としてのＲＤ端子にトランジスタＴｒ６を介してパソコン側のＥＲ端子が接続され＋７Ｖの第１の電圧信号がＲＤ端子に出力される。
【００２１】
一方、マイコン側のＴｘＤ端子からの信号によりトランジスタＴｒ１がオフ状態になると、今度はトランジスタＴｒ３がオン状態になる。このようにトランジスタＴｒ３が導通すると、トランジスタＴｒ５がオフ状態になり、これによってトランジスタＴｒ７がオン状態になる。
【００２２】
また、このときに、トランジスタＴｒ２はオフ状態、トランジスタＴｒ４はオン状態、トランジスタＴｒ６はオフ状態になる。
【００２３】
このように、マイコン側のＴｘＤ端子からの信号によりトランジスタＴｒ１がオフ状態になると、トランジスタＴｒ６がオフ状態、トランジスタＴｒ７がオン状態になり、パソコン側のデータ受信端子としてのＲＤ端子にトランジスタＴｒ７を介してパソコン側のＳＤ端子が接続され−７Ｖの第２の電圧信号がＲＤ端子に出力される。
【００２４】
上記のようにマイコン側のデータ送信に応じてパソコン側のデータ受信端子にパソコン側から供給される電圧が発生してデータの送信が行われるため、パソコン側の電力のみが使用されることになる。尚、トランジスタＴｒ１のオン・オフ時にも、電流が抵抗Ｒ２又はＲ３を介してＥｒ端子からトランジスタＴｒ１を通ってグランドに流れることになるため、パソコン側の電力のみを使用することになる。
【００２５】
パソコン側のデータ送信端子としてのＳＤ端子からマイコン側にデータを送信する場合、このＳＤ端子に発生する電圧の有無等による電圧信号によりトランジスタＴｒ８をオン・オフさせる。このようなトランジスタＴｒ８のオン・オフにより、そのコレクタに接続されたマイコン側のデータ受信端子としてのＲｘＤ端子にはパソコン側のＥＲ端子からの第１の電圧信号が発生・停止することになる。このような電圧の発生・停止によりパソコン側からマイコン側にデータを送信することができる。尚、ＲｘＤ端子に発生する電圧は、ツェナーダイオードＺ１によりマイコンが動作する電圧（５Ｖ）以上にならないように抑えられている。
【００２６】
上記のように、このドライブ回路においては、常に電源の電力に余裕があるパソコン側の電力を使ってデータ通信を行うことができる。従って、このドライブ回路を携帯用電子機器に内臓させた場合であっても、常にこれに接続するパソコン側から通信用の電力を得ることができる。
【００２７】
【発明の効果】
本発明によれば、電子機器間でデータ通信を行う場合に、片方の電子機器側の電力のみを使ってデータ通信を行うため、電源の電力に余裕があり、電源の使用に制限がない方の電気機器から電力を得ながら双方向にデータを送受信することができる。このため、電池を電源とする携帯用電子機器とパソコンとの間でデータ通信を行う場合にも、電池に負担をかけることなくデータ通信を行うことができ、何回でも通信を可能とすることができる。
【図面の簡単な説明】
【図１】本発明の一実施例に係るドライバ回路の構成を示す回路図である。
【符号の説明】
２              切換回路
４              第１のデータ送信回路
６              第１の電圧信号供給回路
８              第２の電圧信号供給回路
１０            第２のデータ送信回路
【図１】
0003632954.tif 000002